(57)【要約】【課題】本発明は、キャリッジが移動する間においても記録ヘッドを確実にキャッピングする。【解決手段】インクジェット記録装置１は、インクを吐出するノズル列を有する記録ヘッド２０ａ〜２０ｄを搭載するキャリッジ６を、主走査方向に往復移動させて画像を記録する。インクジェット記録装置１は、このノズル列との間に空間Ｐｃを有するとともにキャリッジ６が移動可能に該ノズル列を覆う状態で記録ヘッド２０ａ〜２０ｄに着脱可能にキャップユニット３０を装着する。インクジェット記録装置１は、キャップユニット３０の記録ヘッド２０ａ〜２０ｄへの装着時に、空間Ｐｃの気圧を該キャップユニット３０の外気圧よりも低い負圧にして該キャップユニット３０を該記録ヘッド２０ａ〜２０ｄへ装着させ、該キャップユニット３０の記録ヘッド２０ａ〜２０ｄからの取り外し時に、該空間Ｐｃの負圧を解除する。【選択図】          図１
2014172247.tif 000002
【特許請求の範囲】
【請求項１】
インクを被記録媒体に吐出するノズルを有する記録ヘッドと、
前記記録ヘッドを搭載して主走査方向に移動可能なキャリッジと、
前記キャリッジを主走査方向に往復移動させる移動手段と、
前記ノズルとの間に空間を空けて該ノズルを覆う状態で前記記録ヘッドに着脱可能に装着されるキャップ部材と、
前記キャップ部材の前記記録ヘッドへの装着及び該キャップ部材の該記録ヘッドからの取り外しを行うキャップ着脱手段と、
前記キャップ部材の前記記録ヘッドへの装着時に、前記空間の気圧を該キャップ部材の外気圧よりも低い負圧にして該キャップ部材を該記録ヘッドへ装着させ、該キャップ部材の該記録ヘッドからの取り外し時に、該空間の負圧を解除する気圧調整手段と、
を備えていることを特徴とするインクジェット記録装置。
【請求項２】
前記キャップ着脱手段は、
前記キャップ部材の前記記録ヘッドへの装着時に、該キャップ部材を該記録ヘッドへ押し付け、該キャップ部材の該記録ヘッドからの取り外し時に、該キャップ部材を該記録ヘッドから引き離す位置調整手段を備えていることを特徴とする請求項１記載のインクジェット記録装置。
【請求項３】
前記キャップ部材は、
前記記録ヘッドと対向する面に、該記録ヘッド方向に所定高さを有し該記録ヘッドを取り囲む状態の環状の弾性体を備えていることを特徴とする請求項１または請求項２記載のインクジェット記録装置。
【請求項４】
前記気圧調整手段は、
前記キャップ部材に形成され該キャップ部材内と該キャップ部材外を連通する通気孔と、
前記通気孔の前記キャップ部材外への開口部に設けられ、該キャップ部材外の方向へ開く開状態と該開口部を閉じる閉状態とに開閉動作する開閉弁と、
を備え、
前記キャップ部材の前記記録ヘッドへの装着時に、前記位置調整手段によって該キャップ部材が該記録ヘッドへ押し付けられることで、該キャップ部材の前記空間の空気が前記通気孔及び前記開閉弁を通して該キャップ部材外へ排出されて、該開閉弁が閉じられることで、該空間が負圧になることを特徴とする請求項２または請求項３記載のインクジェット記録装置。
【請求項５】
前記気圧調整手段は、
前記キャップ部材の前記記録ヘッドからの取り外し時に、前記空間へ外気を導入する外気導入手段を備えていることを特徴とする請求項１から請求項４のいずれかに記載のインクジェット記録装置。
【請求項６】
前記記録ヘッドは、
前記キャップ部材が装着されている状態で、該キャップ部材と対向する所定位置に電磁石を備え、
前記キャップ部材は、
少なくとも前記電磁石と対向する位置に該電磁石の発生する磁気によって該電磁石に引き寄せられる被引き寄せ部材を備え、
前記キャップ着脱手段は、
前記キャップ部材の前記記録ヘッドへの装着時及び装着中に前記電磁石への通電を行うことを特徴とする請求項１から請求項４のいずれかに記載のインクジェット記録装置。
【請求項７】
前記キャリッジは、
被写体を含む所定の撮像領域を撮像するセンサ手段を搭載し、
前記インクジェット記録装置は、
前記キャップ部材を前記記録ヘッドに装着した状態で、前記キャリッジを移動させて前記センサ手段に前記被写体を撮像させて、該撮像結果に基づいて測色処理を行う測色手段を、備えていることを特徴とする請求項１から請求項６のいずれかに記載のインクジェット記録装置。
【請求項８】
前記センサ手段は、
外部の前記被写体とともに撮像される基準チャートを前記撮像領域内に有することを特徴とする請求項７記載のインクジェット記録装置。
【請求項９】
インクを被記録媒体に吐出するノズルを有する記録ヘッドを搭載するキャリッジを主走査方向に往復移動させる移動処理ステップと、
前記ノズルとの間に空間を空けて該ノズルを覆うキャップ部材を、前記記録ヘッドに着脱するキャップ着脱処理ステップと、
前記キャップ部材の前記記録ヘッドへの装着時に、前記空間の気圧を該キャップ部材の外気圧よりも低い負圧にして該キャップ部材を該記録ヘッドへ装着させ、該キャップ部材の該記録ヘッドからの取り外し時に、該空間の負圧を解除する気圧調整処理ステップと、
を有していることを特徴とする記録ヘッド保護方法。
【発明の詳細な説明】
【技術分野】
【０００１】
本発明は、インクジェット記録装置及び記録ヘッド保護方法に関し、詳細には、キャリッジが移動する間においても記録ヘッドを確実にキャッピングするインクジェット記録装置及び記録ヘッド保護方法に関する。
【背景技術】
【０００２】
インクジェット記録装置は、現像・定着等のプロセスを必要とせず、非接触で記録を行うことができるために、記録時の騒音が極めて小さいこと、高速印字が可能であること、インクの自由度が高く、安価な普通紙を使用できることなど多くの利点を有している。インクジェット記録装置の中でも、記録を必要とするときにのみインク液滴を吐出する、いわゆるインク・オン・デマンド方式のインクジェット記録装置が、記録に不要なインク液滴の回収を必要とせず、メンテナンスが容易で、かつ、小型、安価であることから、多く利用されている。
【０００３】
ところが、インク・オン・デマンド方式のインクジェット記録装置は、インクを吐出しない状態で、長時間記録ヘッドのノズルが外気にさらされると、ノズル内部のインクが高粘度化する。特に、インクを吐出しない状態で、記録ヘッドを搭載するキャリッジが移動されると、記録ヘッドに形成されているノズルの乾燥がより一層進行して、ノズル内部のインクが高粘度化し、吐出不良が発生して、形成画像の画像品質が低下する。
【０００４】
そして、従来、キャリッジシャフトに対して移動自在に配設されたキャリッジと、該キャリッジに搭載されたインクジェットヘッドと、印刷領域外のステーションに配設されたキャップ保持体と、前記インクジェットヘッド及びキャップ保持体に対して着脱自在に配設されたキャップとを有するインクジェット記録装置が提案されている（特許文献１参照）。すなわち、この従来技術は、印刷領域外のステーションに配設されたキャップ保持体が、キャップを保持して、該キャップ保持体位置にキャリッジが移動してくると、キャップをインクジェットヘッドに着装する。
【０００５】
そして、この従来技術は、キャップのかぎ状部分をキャリッジに引っかけることで、具体的には、インクジェットヘッドの係止溝にキャップの係止片を引っかけることで、キャップをインクジェットヘッドにかぶせている。
【発明の概要】
【発明が解決しようとする課題】
【０００６】
しかしながら、上記公報記載の従来技術にあっては、キャップのかぎ状部分をキャリッジに引っかけることで、キャップを記録ヘッド（インクジェットヘッド）にかぶせている。したがって、キャップと記録ヘッドとの密着度が弱く、記録ヘッドとキャップとの間に隙間ができてしまい、ノズルが乾燥する。特に、キャップが記録ヘッドにかぶっている状態でキャリッジが移動すると、振動等によって記録ヘッドとキャップとの間に隙間が発生する。その結果、ノズルの乾燥を抑制して、吐出性能を向上させ、形成画像の画像品質を向上させる上で、改良の必要があった。
【０００７】
そこで、本発明は、記録ヘッドを搭載するキャリッジの移動中においても、非印字時には、記録ヘッドをキャップで確実に被覆することを目的としている。
【課題を解決するための手段】
【０００８】
本発明は、上記目的を達成するために、請求項１記載のインクジェット記録装置は、インクを被記録媒体に吐出するノズルを有する記録ヘッドと、前記記録ヘッドを搭載して主走査方向に移動可能なキャリッジと、前記キャリッジを主走査方向に往復移動させる移動手段と、前記ノズルとの間に空間を空けて該ノズルを覆う状態で前記記録ヘッドに着脱可能に装着されるキャップ部材と、前記キャップ部材の前記記録ヘッドへの装着及び該キャップ部材の該記録ヘッドからの取り外しを行うキャップ着脱手段と、前記キャップ部材の前記記録ヘッドへの装着時に、前記空間の気圧を該キャップ部材の外気圧よりも低い負圧にして該キャップ部材を該記録ヘッドへ装着させ、該キャップ部材の該記録ヘッドからの取り外し時に、該空間の負圧を解除する気圧調整手段と、を備えていることを特徴としていてもよい。
【発明の効果】
【０００９】
本発明によれば、記録ヘッドを搭載するキャリッジの移動中においても、非印字時には、記録ヘッドをキャップで確実に被覆することができる。
【図面の簡単な説明】
【００１０】
【図１】本発明の一実施例を適用したインクジェット記録装置の概略斜視図。
【図２】キャリッジ部分の平面図。
【図３】キャップが装着されている状態の記録ヘッドの平面図。
【図４】図３のＡ−Ａ矢視断面図。
【図５】単体キャップが装着されている状態の記録ヘッドの平面図。
【図６】図５のＡ−Ａ矢視断面図。
【図７】維持ユニットに設けられている中継キャップ及び周辺部品の概略構成図。
【図８】キャリッジと記録ヘッドの移動機構部分の概略構成図。
【図９】撮像ユニットの平面図。
【図１０】図９の撮像ユニットのＡ−Ａ矢視断面図。
【図１１】インクジェット記録装置の要部ブロック構成図。
【図１２】撮像ユニットと測色制御部のブロック構成図。
【図１３】基準シートから基準測色値と作像基準ＲＧＢ値の取得処理及び基準値線形変換マトリックス取得処理の説明図。
【図１４】記録ヘッドへのキャップユニットの装着処理の説明図。
【図１５】各記録ヘッドにキャップユニットが装着されている状態のインクジェット記録装置の要部正面概略構成図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１５は、本発明のインクジェット記録装置及び記録ヘッド保護方法の一実施例を示す図であり、図１は、本発明のインクジェット記録装置及び記録ヘッド保護方法の一実施例を適用したインクジェット記録装置１のブロック構成図である。
【００１３】
図１において、インクジェット記録装置１は、本体筐体２が、本体フレーム３上に配設されており、本体筐体２内には、図１に両矢印Ａで示す主走査方向に主ガイドロッド４と副ガイドロッド５が張り渡されている。主ガイドロッド４は、キャリッジ６を移動可能に支持しており、キャリッジ６には、副ガイドロッド５に係合してキャリッジ６の姿勢を安定化させる連結片６ａが設けられている。
【００１４】
インクジェット記録装置１は、主ガイドロッド４に沿って無端ベルト状のタイミングベルト７が配設されており、タイミングベルト７は、駆動プーリ８と従動プーリ９との間に張り渡されている。駆動プーリ８は、主走査モータ１０によって回転駆動され、従動プーリ９は、タイミングベルト７に対して所定の張りを与える状態で配設されている。駆動プーリ８は、主走査モータ１０によって回転駆動されることで、その回転方向に応じて、タイミングベルト７を主走査方向に回転移動させる。
【００１５】
キャリッジ６は、タイミングベルト７に連結されており、タイミングベルト７が駆動プーリ８によって主走査方向に回転移動されることで、主ガイドロッド４に沿って主走査方向に往復移動する。したがって、主走査モータ１０、タイミングベルト７、駆動プーリ８及び従動プーリ９は、全体として、キャリッジ６を主走査方向に往復移動させる移動部（移動手段）１７として機能している。
【００１６】
インクジェット記録装置１は、本体筐体２内の主走査方向両端部位置に、カートリッジ部１１と維持ユニット１２が収納されており、カートリッジ部１１は、イエロー（Ｙ）、マゼンタ（Ｍ）、シアン（Ｃ）、ブラック（Ｋ）の各インクをそれぞれ収納するカートリッジが、交換可能に収納されている。カートリッジ部１１の各カートリッジは、キャリッジ６が搭載する記録ヘッド２０の対応する色の記録ヘッド２０ａ〜２０ｄ（図２〜図４参照）と、図示しないインクチューブで連結されている。カートリッジ部１１の各カートリッジは、インクチューブを通して記録ヘッド２０ａ〜２０ｄに対してインクを供給する。なお、以下の説明において、記録ヘッド２０ａ〜２０ｄを総称するときには、記録ヘッド２０という。
【００１７】
インクジェット記録装置１は、後述するように、キャリッジ６を主走査方向に移動させながら、プラテン１４（図２参照）上を、主走査方向と直交する副走査方向（図１の矢印Ｂ方向）に間欠的に搬送される記録媒体Ｐにインクを吐出することで、記録媒体Ｐに画像を記録出力する。
【００１８】
すなわち、本実施例のインクジェット記録装置１は、記録媒体Ｐを副走査方向に間欠的に搬送し、記録媒体Ｐの副走査方向の搬送が停止している間に、キャリッジ６を主走査方向に移動させながら、キャリッジ６に搭載された記録ヘッド２０のノズル列２１ａ〜２１ｈ（図３参照）からプラテン１４上の記録媒体Ｐ上にインクを吐出して、記録媒体Ｐに画像を形成する。
【００１９】
維持ユニット１２は、記録ヘッド２０の吐出面の清掃、キャッピング、不要なインクの吐出等を行って、記録ヘッド２０からの不要なインクの排出や、記録ヘッド２０の信頼性の維持を図っている。維持ユニット１２については、後で詳細に説明する。
【００２０】
インクジェット記録装置１は、記録媒体Ｐの搬送部分を開閉可能に、カバー１３が設けられており、インクジェット記録装置１のメンテナンス時やジャム発生時に、カバー１３を開けることで、本体筐体２内部のメンテナンス作業やジャム記録媒体Ｐの除去等の作業を行うことができる。
【００２１】
キャリッジ６は、図３及び図３のＡ−Ａ矢視断面図である図４に示すように、記録ヘッド２０ａ〜２０ｄを搭載している。記録ヘッド２０ａ〜２０ｄは、それぞれ上記カートリッジ部１１の対応する色のカートリッジにパイプで連結されて、それぞれ対応する色のインクを、対向する記録媒体Ｐに吐出する。
【００２２】
記録ヘッド２０は、そのインク吐出面（ノズル面）が、図１の下方（記録媒体Ｐ側）に向くように、キャリッジ６に搭載されており、各記録ヘッド２０ａ〜２０ｄに配設されているノズル列２１ａ〜２１ｈから記録媒体Ｐにインクを吐出する。
【００２３】
インクジェット記録装置１は、タイミングベルト７、すなわち、主ガイドロッド４に平行に、少なくともキャリッジ６の移動範囲に亘ってエンコーダシート１５が配設されている。一方、キャリッジ６には、エンコーダシート１５を読み取るエンコーダセンサ１６が取り付けられている。インクジェット記録装置１は、エンコーダセンサ１６によるエンコーダシート１５の読み取り結果に基づいて主走査モータ１０の駆動を制御することで、キャリッジ６の主走査方向の移動を制御する。
【００２４】
キャリッジ６には、図２に示したように、撮像ユニット１００が取り付けられており、撮像ユニット１００は、後述する測色処理結果に基づく色調整処理時に被写体（測色対象物）を測色するために、被写体を撮像する。
【００２５】
キャリッジ６に搭載されている記録ヘッド２０は、図３に示すように、それぞれの記録ヘッド２０ａ〜２０ｄが、複数（図２では、２本）のノズル列２１ａ〜２１ｈで構成されている。記録ヘッド２０ａ〜２０ｄは、上述のように、プラテン１４上を搬送される記録媒体Ｐ上にノズル列２１ａ〜２１ｈからインクを吐出することで、記録媒体Ｐに画像を形成する。なお、記録ヘッド２０ａ〜２０ｄの配置及びノズル列２１ａ〜２１ｈの配置は、図２に示す配置に限るものではない。
【００２６】
そして、記録ヘッド２０は、四角形状に形成されていて、図３及び図４に示すように、記録ヘッド２０の記録媒体Ｐ側の面の４隅に、電磁石２２が固定されている。この記録ヘッド２０には、図３及び図４に示すようなキャップユニット３０が着脱可能に装着される。
【００２７】
キャップユニット（キャップ部材）３０は、その記録ヘッド２０側の面が窪んだ四角の椀形状（凹形状）に形成されており、記録ヘッド２０と略同形状に形成されている。キャップユニット３０は、記録ヘッド２０側の突出面であって、記録ヘッド２０の電磁石２２と対向する位置に、鉄板（被引き寄せ部材）３１が固定されており、該記録ヘッド２０側の突出面には、全面にわたって記録ヘッド２０側へ所定厚さを有する帯状の弾性体３２が取り付けられている。弾性体３２は、例えば、所定の弾性を有するゴム等が用いられており、キャップユニット３０が記録ヘッド２０に装着された際に、記録ヘッド２０のノズル列２１ａ〜２１ｈとキャップユニット３０との隙間を無くす機能を有している。キャップユニット３０は、その窪んだ中であって、記録ヘッド２０に装着されたときに、記録ヘッド２０の各記録ヘッド２０ａ〜２０ｄに対向する位置に、それぞれキャップ３３ａ〜３３ｄが形成されている。キャップ３３ａ〜３３ｄは、記録ヘッド２０ａ〜２０ｄに向かって開いたキャップ形状に形成されている。各キャップ３３ａ〜３３ｄ及びキャップユニット３０には、図４に示すように、各キャップ３３ａ〜３３ｄの窪んだ内部とキャップユニット３０の外部とを連通する通気孔３４が形成されている。各通気孔３４のキャップユニット３０の外面への開口部には、該通気孔３４の該開口部を開閉する開閉弁３５が取り付けられており、開閉弁３５は、キャップユニット３０の内外の圧力差、特に、キャップ３３ａ〜３３ｄ内とキャップユニット３０外との圧力差によって開閉する。すなわち、開閉弁３５は、キャップユニット３０内がキャップユニット３０外よりも所定量だけ低い気圧（負圧）になると、開口部を閉じる方向に動作し、キャップユニット３０内がキャップユニット３０外よりも所定量だけ高い気圧（高圧）になると、開口部を開く方向に動作する。なお、開閉弁３５は、キャップユニット３０の内外の圧力差で開閉する機構の弁に限るものではなく、スイッチのオン／オフに応じて開閉する開閉機構が設けられていてもよい。この開閉機構としては、例えば、電磁弁等であってもよい。上記通気孔３４及び開閉弁３５は、全体として、キャップユニット３０の記録ヘッド２０ａ〜２０ｄへの装着時に、空間Ｐｃの気圧を該キャップユニット３０の外気圧よりも低い負圧にして該キャップユニット３０を該記録ヘッド２０ａ〜２０ｄへ装着させ、該キャップユニット３０の該記録ヘッド２０ａ〜２０ｄからの取り外し時に、該空間Ｐｃの負圧を解除する気圧調整部（気圧調整手段）３６として機能している。
【００２８】
そして、上記各キャップ３３ａ〜３３ｄは、その上端面（記録ヘッド２０側の面）が、キャップユニット３０がキャリッジ６に完全に装着された状態のときに、対向する記録ヘッド２０ａ〜２０ｄに密接する高さに形成されている。
【００２９】
また、キャリッジ６またはキャップユニット３０の一方に、位置決めピンＰｉが設けられていて、他方に該位置決めピンＰｉが挿入される位置決め穴（図示略）が形成されている。インクジェット記録装置１は、位置決めピンＰｉと位置決め孔を利用して、キャップユニット３０とキャリッジ６との位置決めを行う。
【００３０】
なお、キャップユニット（キャップ部材）は、上記図３及び図４に示したキャップユニット３０のように、記録ヘッド２０の全ての記録ヘッド２０ａ〜２０ｄをカバーする構成に限るものではなく、例えば、図５及び図６に示すように、個々の記録ヘッド２０ａ〜２０ｄ毎に設けられていてもよい。
【００３１】
すなわち、この場合、図５及び図６に示すように、個々の記録ヘッド２０ａ〜２０ｄに対して、キャップユニット４０ａ〜４０ｄが着脱可能に装着される。キャップユニット（キャップ部材）４０ａ〜４０ｄは、記録ヘッド２０ａ〜２０ｄの周囲を取り囲むことのできる記録ヘッド２０ａ〜２０ｄ側の面が窪んだ椀形状（凹形状）に形成されている。キャリッジ６の各記録ヘッド２０ａ〜２０ｄの副走査方向（図５及び図６で、左右方向）両端部から所定間隔空けた位置に、一対の電磁石２３が配設されている。
【００３２】
キャップユニット４０ａ〜４０ｄは、記録ヘッド２０ａ〜２０ｄ側の突出面であって、記録ヘッド２０ａ〜２０ｄの電磁石２３と対向する位置に、鉄板（被引き寄せ部材）４１が固定されており、該記録ヘッド２０ａ〜２０ｄ側の突出面には、全面にわたって記録ヘッド２０ａ〜２０ｄ側へ所定厚さを有する帯状の弾性体４２ａ〜４２ｄが取り付けられている。弾性体４２ａ〜４２ｄは、例えば、所定の弾性を有するゴム等が用いられており、キャップユニット４０ａ〜４０ｄが記録ヘッド２０に装着された際に、記録ヘッド２０とキャップユニット４０ａ〜４０ｄとの隙間を無くす機能を有している。キャップユニット４０ａ〜４０ｄは、その窪んだ中に、キャップ４３ａ〜４３ｄが形成されている。キャップ４３ａ〜４３ｄは、記録ヘッド２０ａ〜２０ｄに向かって開いたキャップ形状に形成されている。各キャップ４３ａ〜４３ｄ及びキャップユニット４０ａ〜４０ｄには、図６に示すように、各キャップ４３ａ〜４３ｄの窪んだ内部とキャップユニット４０ａ〜４０ｄの外部とを連通する通気孔４４ａ〜４４ｄが形成されている。各通気孔４４ａ〜４４ｄのキャップユニット４０ａ〜４０ｄの外面への開口部には、該通気孔４４ａ〜４４ｄの該開口部を開閉する開閉弁４５ａ〜４５ｄが取り付けられており、開閉弁４５ａ〜４５ｄは、キャップユニット４０ａ〜４０ｄの内外の圧力差、特に、キャップ４３ａ〜４３ｄ内とキャップユニット４０ａ〜４０ｄ外との圧力差によって開閉する。すなわち、開閉弁４５ａ〜４５ｄは、キャップユニット４０ａ〜４０ｄ内がキャップユニット４０ａ〜４０ｄ外よりも所定量だけ低い気圧（負圧）になると、開口部を閉じる方向に動作し、キャップユニット４０ａ〜４０ｄ内がキャップユニット４０ａ〜４０ｄ外よりも所定量だけ高い気圧（高圧）になると、開口部を開く方向に動作する。なお、開閉弁４５ａ〜４５ｄは、キャップユニット４０ａ〜４０ｄの内外の圧力差で開閉する機構の弁に限るものではなく、スイッチのオン／オフに応じて開閉する開閉機構が設けられていてもよい。この開閉機構としては、例えば、電磁弁等であってもよい。上記通気孔４４ａ〜４４ｄ及び開閉弁４５ａ〜４５ｄは、キャップユニット４０ａ〜４０ｄの記録ヘッド２０ａ〜２０ｄへの装着時に、空間Ｐｃの気圧を該キャップユニット４０ａ〜４０ｄの外気圧よりも低い負圧にして該キャップユニット４０ａ〜４０ｄを該記録ヘッド２０ａ〜２０ｄへ装着させ、該キャップユニット４０ａ〜４０ｄの該記録ヘッド２０ａ〜２０ｄからの取り外し時に、該空間Ｐｃの負圧を解除する気圧調整部（気圧調整手段）４６として機能している。
【００３３】
そして、上記各キャップ４３ａ〜４３ｄは、その上端面（記録ヘッド２０側の面）が、キャップユニット４０ａ〜４０ｄがキャリッジ６に完全に装着された状態のときに、対向する記録ヘッド２０ａ〜２０ｄに密接する高さに形成されている。
【００３４】
上記維持ユニット１２には、図７にキャップユニット４０ａ〜４０ｄ用について示すように、中継キャップ５０が設けられており、中継キャップ５０は、キャップユニット４０ａ〜４０ｄを収納可能な椀形状に形成されている。中継キャップ５０には、中継キャップ５０内に収納されたキャップユニット４０ａ〜４０ｄの通気孔４４ａ〜４４ｄに対応する位置に通気孔５１が形成されており、通気孔５１には、通気チューブ５２が繋がっている。
【００３５】
通気チューブ５２は、吸引ポンプ５３に接続されており、吸引ポンプ５３は、通気チューブ５２を通してキャップユニット４０ａ〜４０ｄの通気孔４４ａ〜４４ｄに設けられて開閉弁４５ａ〜４５ｄを吸引して開く。維持ユニット１２は、図示しないが、例えば、通気チューブ５２内、または、キャップユニット４０ａ〜４０ｄの外面等に、開いた開閉弁４５ａ〜４５ｄを、開いた状態で維持させる係止部材等が設けられている。
【００３６】
キャップユニット４４ａ〜４４ｄは、開閉弁４５ａ〜４５ｄが開いて、上記係止部材等で開閉弁４５ａ〜４５ｄが開いた状態で、吸引ポンプ５３が停止されて、外気が通気チューブ５２を通して空間Ｐｃ内に導入される。キャップユニット４４ａ〜４４ｄは、空間Ｐｃ内に外気が導入されることで、キャップ４３ａ〜４３ｄ内の負圧が解消され、記録ヘッド２０ａ〜２０ｄに吸着していた状態が解消される。したがって、中継キャップ５０、吸引ポンプ５３及び通気チューブ５２は、全体として、気圧調整部３６または気圧調整部４６が、キャップユニット３０またはキャップユニット４０ａ〜４０ｄの記録ヘッド２０ａ〜２０ｄからの取り外し時に、前記空間Ｐｃへ外気を導入する外気導入手段として機能している。
【００３７】
また、維持ユニット１２には、中継キャップ５０を、キャリッジ６方向に付勢する弾性部材５４が配設されており、弾性部材５４は、例えば、圧縮スプリング等が用いられる。また、図示しないが、維持ユニット１２には、弾性部材５４の付勢力を規制して中継キャップ５０を所定のホーム位置に位置させる規制部材が設けられている。
【００３８】
そして、記録ヘッド２０は、図８に示すように、キャリッジ６に取り付けられており、キャリッジ６は、主ガイドロッド４上に位置する摺動部材６１を備えていて、摺動部材６１が主ガイドロッド４にガイドされている。キャリッジ６は、摺動部材６１によって主ガイドロッド４にガイドされて、主走査モータ１０によって主走査方向に移動される。摺動部材６１は、本体部分が、摺動部材６１に対して、図８に上下方向の両矢印で示すように、上下方向に所定量移動可能に構成されており、摺動部材６１には、キャリッジ昇降カム６２が取り付けられている。キャリッジ昇降カム６２は、偏心した状態で摺動部材６１に取り付けられているとともに、キャリッジ６本体のうち、摺動部材６１との対向下面に接触している。キャリッジ昇降カム６２は、キャリッジ昇降モータ６３によって回転駆動され、回転することで、キャリッジ６の本体を、摺動部材６１に対して上下方向に離接するように移動させる。そして、キャリッジ昇降モータ６３は、図１１に示すＣＰＵ（Central Processing Unit）１２１によって駆動制御される。これらキャリッジ昇降カム６２、キャリッジ昇降モータ６３及びＣＰＵ１２１は、全体として、キャップユニット３０またはキャップユニット４０ａ〜４０ｄの記録ヘッド２０ａ〜２０ｄへの装着及び該キャップユニット３０または該キャップユニット４０ａ〜４０ｄの該記録ヘッド２０ａ〜２０ｄからの取り外しを行うキャップ着脱部（キャップ着脱手段）６４として機能している。
【００３９】
記録ヘッド２０は、キャリッジ６が上下方向に移動することで、上下方向に移動し、上記中継キャップ５０内に位置するキャップユニット４０ａ〜４０ｄの方向に移動する。
【００４０】
そして、上記撮像ユニット１００は、平面図である図９及び図９のＡ−Ａ矢視断面図である図１０に示すように、基板１０１に、基板１０１側の面が開放されている四角の箱形状の筐体１０２が、締結部材１０３によって固定されている。基板１０１は、上記キャリッジ６に固定されている。
【００４１】
撮像ユニット１００は、基板１０１の筐体１０２側の面であってその中央部に、イメージセンサ部１０４が配設されており、イメージセンサ部１０４は、ＣＣＤ（Charge Coupled Device ）センサやＣＭＯＳ（Complementary Metal Oxide Semiconductor ）センサ等の２次元イメージセンサ１０５とレンズ１０６を備えている。
【００４２】
撮像ユニット１００は、筐体１０２が、その基板１０１とは反対側の面部（以下、底面部という。）１０２ａの下面が、所定の間隔ｄを有してプラテン１４上の記録媒体Ｐと対向する状態で、キャリッジ６に取り付けられている。底面部（対向面）１０２ａには、中心線Ｌｏを中心として、主走査方向にそれぞれ略長方形状の開口部１０２ｂと開口部１０２ｃが、所定幅の底面部１０２ａを挟んで並んで形成されている。間隙ｄは、後述するように、２次元イメージセンサ１０５に対する焦点距離を考慮して、小さい方が好ましいが、記録媒体Ｐの平面性との関係から、筐体１０２の下面と記録媒体Ｐとが接触しない大きさ、例えば、１ｍｍ〜２ｍｍ程度に設定されている。なお、この開口部１０２ｂと開口部１０２ｃの間の底面部１０２ａは、後述する照明光源１０７からの正反射光を吸収する所定の表面処理等が施されていてもよい。
【００４３】
筐体１０２は、その底面部１０２ａ側の外側面に、開口部１０２ｂよりも大きな凹部１０２ｄが形成されており、この凹部１０２ｄに基準チャート板１０８が着脱可能に嵌め込まれている。
【００４４】
なお、筐体１０２は、四角の箱形状に限るものではなく、例えば、開口部１０２ｂ、３２ｃの形成されている底面部１０２ａを有する円筒形状や楕円筒形状等であってもよい。
【００４５】
開口部１０２ｃは、記録媒体Ｐに形成されている撮像対象（被写体）である基準シートＫＳの基準色パッチＫＰ（図１３参照）及び測色調整シートＣＳの測色調整色パッチＣＰ（図１３参照）を撮像するのに用いられる。開口部１０２ｃは、少なくとも、撮像対象のパッチ画像を全て撮像可能な大きさであればよいが、筐体１０２と撮像対象との間に間隙ｄがあるため、開口部１０２ｃの周辺に発生する影を考慮して、撮像対象の撮像領域の大きさよりも若干大きめに形成されている。
【００４６】
そして、基準チャート板１０８は、その筐体１０２の内方側の面であって、開口部１０２ｂに対向する位置に、基準チャートＫＣが形成されている。
【００４７】
基準チャートＫＣは、上記基準シートＫＳの基準色パッチＫＰ及び色調整処理における撮像対象である測色調整シートＣＳの測色調整色パッチＣＰの撮像測色値との比較対象として、撮像ユニット１００により基準色パッチＫＰや測色調整色パッチＣＰと一緒に撮影される。すなわち、撮像ユニット１００は、筐体１０２の底面部１０２ａに設けられた開口部１０２ｃを通して筐体１０２の外部に位置する基準シートＫＳの基準色パッチＫＰや測色調整シートＣＳの測色調整色パッチＣＰを撮像する。そして、撮像ユニット１００は、これらの基準色パッチＫＰや測色調整色パッチＣＰの撮像とともに、筐体１０２の底面部１０２ａの開口部１０２ｂに位置する基準チャートＫＣ上の色パッチを、比較対象として撮像する。
【００４８】
なお、撮像ユニット１００は、２次元イメージセンサ１０５が画素を順次走査して画像を読み取る。したがって、厳密には、基準シートＫＳの基準色パッチＫＰや測色調整シートＣＳの測色調整色パッチＣＰと基準チャートＫＣを一緒には読み取らないが、１フレーム内に基準色パッチＫＰや測色調整色パッチＣＰと基準チャートＫＣの画像を取得することができることから、適宜、「ともに取得」または「一緒に取得」と表現する。
【００４９】
この基準チャートＫＣの形成されている基準チャート板１０８は、筐体１０２の底面部１０２ａに形成されている開口部１０２ｂ及び開口部１０２ｃの記録媒体Ｐ側の面の外周に形成されている凹部１０２ｄに配設されている。したがって、基準チャートＫＣは、記録媒体Ｐ等の撮像対象と同様の焦点距離で、イメージセンサ部１０４の２次元イメージセンサ１０５によって撮像される。
【００５０】
また、基準チャートＫＣは、筐体１０２の底面部１０２ａに形成されている凹部１０２ｄに、着脱可能にセットされている。したがって、筐体１０２内に侵入したゴミ等が基準チャートＫＣ表面に付着しても、基準チャート板１０８を取り外して、基準チャート板１０８の基準チャートＫＣ側の面を清浄に清掃することができる。そして、基準チャート板１０８は、清掃後に、再度、取り付けることができ、基準チャートＫＣの測定精度を向上させることができる。
【００５１】
撮像ユニット１００は、イメージセンサ部１０４の中心を通る副走査方向の中心線Ｌｏ上であって、イメージセンサ部１０４の中心からそれぞれ副走査方向に所定量だけ等間隔で離れた位置の基板１０１に、１対の照明光源１０７が配設されている。照明光源１０７としては、ＬＥＤ（Light Emitting Diode）等が用いられている。
【００５２】
さらに、撮像ユニット１００は、撮像領域の開口部１０２ｃと基準チャートＫＣの配置条件が、レンズ１０６の中心と照明光源１０７を結ぶ中心線Ｌｏに対して、略対称に配置されている。したがって、撮像ユニット１００は、２次元イメージセンサ１０５の撮像条件を線対称で同一にすることができ、基準チャートＫＣを用いた２次元イメージセンサ１０５の色調整処理や測色処理の精度を向上させることができる。
【００５３】
そして、レンズ１０６は、被写体と基準チャートＫＣから２次元イメージセンサ１０５への反射光の光路中に配設されており、該反射光を該２次元イメージセンサ１０５に集光させる。レンズ１０６は、１枚の結像レンズが用いられていてもよいし、複数枚のレンズが組み合わされて用いられていてもよい。
【００５４】
また、筐体１０２は、該筐体１０２内の開口部１０２ｃを塞ぐ状態で、底面部１０２ａ上に光路長変更部材１１０が配設されており、光路長変更部材１１０は、開口部１０２ｃの周囲の筐体１０２上に固定または保持されている。
【００５５】
光路長変更部材１１０は、屈折率ｎを有して、光透過方向に長さ（以下、光路長変更部材の長さという。）Ｌｐを有した光透過部材が用いられており、屈折率ｎと光透過方向の長さＬｐによって、次式（１）で決定される光路長変更量（画像の浮き上がり量）Ｃを有している。
【００５６】
Ｃ＝Ｌｐ（１−１／ｎ）・・・（１）
そして、記録媒体Ｐの撮像面からイメージセンサ部１０４の２次元イメージセンサ１０５への光路長（焦点距離）Ｌは、次式（２）で与えられる。
【００５７】
Ｌ＝Ｌｔ＋Ｌｐ（１−１／ｎ）・・・（２）
ここで、Ｌｔは、レンズ１０６の撮像対象側の頂部と記録媒体Ｐの撮像面との間の距離である。
【００５８】
そして、撮像ユニット１００は、記録媒体Ｐの撮像面から２次元イメージセンサ１０５への光路長（焦点距離）Ｌと基準チャートＫＣから２次元イメージセンサ１０５への光路長（焦点距離）が一致するように、光路長変更部材１１０の屈折率ｎと長さＬｐが設定されている。このように設定することで、イメージセンサ部１０４の２次元イメージセンサ１０５に対する基準チャートＫＣの焦点位置と被写体（撮像面）の焦点位置を一致させることができる。
【００５９】
また、撮像ユニット１００は、光路長変更部材１１０及び開口部１０２ｃを通して記録媒体Ｐの撮像面に照射する照明光と、基準チャートＫＣを照射する照明光とは、同一の照明光源１０７からの照明光である。したがって、撮像ユニット１００は、同じ照明条件で基準チャートＫＣと記録媒体Ｐの撮像面を一緒に撮像することができる。
【００６０】
そして、本実施例のインクジェット記録装置１は、図１１に示すようにブロック構成されており、ＣＰＵ１２１、ＲＯＭ（Read Only Memory）１２２、ＲＡＭ（Random Access Memory）１２３、主走査ドライバ１２４、記録ヘッドドライバ１２５、測色制御部１２６、紙搬送部１２７及び副走査ドライバ１２８等を備えているとともに、上述のようにキャリッジ６に搭載されている記録ヘッド２０、エンコーダセンサ１６及び撮像ユニット１００等を備えている。
【００６１】
ＲＯＭ１２２は、インクジェット記録装置１としての基本プログラム、色調整処理プログラム及び本発明の記録ヘッド保護プログラム等のプログラム及び必要なシステムデータ等を記憶する。
【００６２】
ＣＰＵ１２１は、ＲＯＭ１２２内のプログラムに基づいて、ＲＡＭ１２３をワークメモリとして利用しつつ、インクジェット記録装置１の各部を制御して、インクジェット記録装置１としての基本処理を実行する。また、ＣＰＵ１２１は、撮像ユニット１００が撮像したＲＧＢ値に基づいて、測色制御部１２６での測色処理で求められた測色値に基づいて、画像形成時における色調整処理を実行する。さらに、ＣＰＵ１２１は、ＲＯＭ１２２の本発明の記録ヘッド保護プログラムに基づいて、記録ヘッド２０を搭載するキャリッジ６の移動中においても、非印字時には、記録ヘッド２０、特に、ノズル列２１ａ〜２１ｈをキャップ４３ａ〜４３ｄで確実に被覆する記録ヘッド保護方法を実行する。
【００６３】
すなわち、インクジェット記録装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の記録ヘッド保護方法を実行する記録ヘッド保護プログラムを読み込んでＲＯＭ１２２等に導入することで、後述する記録ヘッド２０を搭載するキャリッジ６の移動中においても、非印字時には、記録ヘッド２０、特に、ノズル列２１ａ〜２１ｈをキャップ４３ａ〜４３ｄで確実に被覆する記録ヘッド保護方法を実行するインクジェット記録装置として構築されている。この記録ヘッド保護プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００６４】
ＣＰＵ１２１は、キャリッジ６及び紙搬送部１２７の制御においては、エンコーダセンサ１６からのエンコーダ値に基づいて主走査ドライバ１２４の駆動を制御して、キャリッジ６の主走査方向の移動を制御する。また、ＣＰＵ１２１は、副走査ドライバ１２８を介して、図示しない副走査モータや搬送ローラ等の紙搬送部１２７の駆動を制御する。さらに、ＣＰＵ１２１は、記録ヘッドドライバ１２５を介して、記録ヘッド２０によるインクの吐出タイミング及びインク吐出量を制御する。
【００６５】
撮像ユニット１００は、上述したように、画像を記録出力する際の画像データの色を、ユーザの意図する色に正確に再現する色調整用の測色値を生成するために、測色時に記録媒体Ｐに記録ヘッド２０によって形成された測色調整色パッチＣＰを撮像して、撮像したＲＧＢ値をＣＰＵ１２１に出力する。
【００６６】
そして、撮像ユニット１００及び測色制御部１２６は、図１２に示すようにブロック構成されている。撮像ユニット１００は、上記照明光源１０７、イメージセンサ部１０４を備えているとともに、画像処理部１３０及びインターフェイス部１３１等を備えている。画像処理部１３０は、Ａ／Ｄ変換部１３２、シェーディング補正部１３３、ホワイトバランス補正部１３４、γ補正部１３５及び画像フォーマット変換部１３６を備えている。この撮像ユニット１００及び測色制御部（測色手段）１２６は、全体として、測色装置として機能している。
【００６７】
撮像ユニット１００は、イメージセンサ部１０４が被写体と基準チャートＫＣを一緒に撮像したアナログのＲＧＢ画像データを画像処理部１３０に出力する。画像処理部１３０は、イメージセンサ部１０４から送られてくるアナログのＲＧＢ画像データに対して必要な画像処理を施して測色制御部１２６に出力する。
【００６８】
Ａ／Ｄ変換部１３２は、イメージセンサ部１０４から入力されるアナログの画像信号を基準電圧と比較して、例えば、８ｂｉｔのデジタルデータに変換し、シェーディング補正部１３３に出力する。
【００６９】
シェーディング補正部１３３は、Ａ／Ｄ変換部１３２からのＲＧＢ画像データに対して、イメージセンサ部１０４の撮像範囲に対する照明光源１０７からの照明光の照度ムラに起因する画像データの誤差の補正を行って、ホワイトバランス補正部１３４に出力する。
【００７０】
ホワイトバランス補正部１３４は、シェーディング補正後のＲＧＢ画像データに対してホワイトバランスを補正して、γ補正部１３５に出力する。
【００７１】
γ補正部１３５は、ホワイトバランス補正部１３４から入力される画像データに対して、イメージセンサ部１０４の感度のリニアリティを補償するように補正して、画像フォーマット変換部１３６に出力する。
【００７２】
画像フォーマット変換部１３６は、γ補正後の画像データを任意のフォーマットに変換して、インターフェイス部１３１を介して測色制御部１２６に出力する。
【００７３】
インターフェイス部１３１は、測色制御部１２６から送られた各種設定信号、タイミング信号及び光源駆動信号を撮像ユニット１００が取得し、また、撮像ユニット１００から測色制御部１２６へ画像データを送るためのインターフェイスである。
【００７４】
測色制御部１２６は、フレームメモリ１４１、タイミング信号発生部１４２、光源駆動制御部１４３、演算部１４４及び不揮発性メモリ１４５を備えており、演算部１４４は、測色値算出部１４６を備えている。
【００７５】
フレームメモリ１４１は、撮像ユニット１００から送られてきた画像データを一時的に記憶するメモリであり、保管した画像データを演算部１４４に出力する。
【００７６】
不揮発性メモリ１４５は、図１３に示すように、分光器（測色装置）ＢＳによって、基準シートＫＳに配列形成されている複数の基準色パッチＫＰの測色結果の測色値であるＬ＊ａ＊ｂ＊値とＸＹＺ値のうち、少なくともいずれか（図１３では、Ｌ＊ａ＊ｂ＊値とＸＹＺ値の双方）が、基準測色値として、不揮発性メモリ１４５のメモリテーブルＴｂ１にパッチ番号に対応して格納されている。
【００７７】
さらに、インクジェット記録装置１は、メモリテーブルＴｂ１に基準測色値が不揮発性メモリ１４５に格納されている状態で、かつ、インクジェット記録装置１の初期状態において、上記基準シートＫＳをインクジェット記録装置１のプラテン１４上にセットする。インクジェット記録装置１は、キャリッジ６の移動を制御して撮像ユニット１００によって基準シートＫＳのうち、分光器ＢＳで読み取ったのと同じ基準パッチＫＰを読み取った撮像基準ＲＧＢ値を、不揮発性メモリ１４５のメモリテーブルＴｂ１に、パッチ番号に対応させて、すなわち、基準測色値に対応させて格納する。さらに、インクジェット記録装置１は、撮像ユニット１００の基準チャートＫＣの各パッチを、該基準シートＫＳとともに撮像してＲＧＢ値を取得する。インクジェット記録装置１は、該基準チャートＫＣの各パッチのＲＧＢ値を初期基準ＲＧＢ値ＲｄＧｄＢｄとして、演算部１４４の制御下で不揮発性メモリ１４５のメモリテーブルＴｂ１に格納する。
【００７８】
インクジェット記録装置１は、基準測色値と撮像基準ＲＧＢ値及び初期基準ＲＧＢ値ＲｄＧｄＢｄを不揮発性メモリ１４５に格納すると、測色値算出部１４６が、不揮発性メモリ１４５に格納されている基準測色値のＸＹＺ値と撮像基準ＲＧＢ値の対、すなわち、同じパッチ番号のＸＹＺ値と撮像基準ＲＧＢ値の対に対して、相互に変換する基準値線形変換マトリックスを算出して、算出した基準値線形変換マトリックスを不揮発性メモリ１４５に格納する。
【００７９】
インクジェット記録装置１においては、上記処理をインクジェット記録装置１の初期状態で実行して、実行結果である基準測色値と撮像基準ＲＧＢ値及び初期基準ＲＧＢ値ＲｄＧｄＢｄを不揮発性メモリ１４５のメモリテーブルＴｂ１に登録した後、基準値線形変換マトリックスを算出して、不揮発性メモリ１４５に格納する。
【００８０】
さらに、本実施例のインクジェット記録装置１は、色調整処理時に、経時変化等している記録ヘッド２０によって記録媒体Ｐに形成された被写体としての測色調整色パッチＣＰと筐体１０２の内部に配置された基準チャートＫＣとをイメージセンサ部１０４で一緒に撮像して、測色調整色パッチＣＰ及び基準チャートＫＣを含む画像データを測色制御部１２６に出力する。測色制御部１２６は、撮像ユニット１００から取得した色調整処理時にイメージセンサ部１０４が撮像した測色調整色パッチＣＰを、基準シートＫＳの基準色パッチ（以下、初期基準色パッチという。）を撮像ユニット１００で読み取ったときに、一緒に読み取って記憶した基準チャートＫＣのパッチの初期基準ＲＧＢ値ＲｄＧｄＢｄに変換した後に、該初期基準ＲＧＢ値ＲｄＧｄＢｄに対して、測色調整色パッチＣＰのうち線形性を有する部分を取り出して線形変換して測色値を求める測色処理を行なう。
【００８１】
すなわち、演算部１４４は、測色制御部１２６の動作を制御するとともに、測色値算出部１４６が、測色処理を実行して、測色処理の処理結果である測色値をＣＰＵ１２１に出力する。ＣＰＵ１２１は、該測色値を用いて画像データを色調整処理して、色調整処理した画像データに基づいて記録ヘッド２０を制御することで、色再現性を向上させた状態で画像形成する。
【００８２】
タイミング信号発生部１４２は、撮像ユニット１００のイメージセンサ部１０４による撮像のタイミングを制御するタイミング信号を発生して、撮像ユニット１００に供給する。
【００８３】
光源駆動制御部１４３は、撮像ユニット１００の照明光源１０７を駆動するための光源駆動信号を生成して、撮像ユニット１００に供給する。
【００８４】
そして、上記撮像ユニット１００と測色制御部１２６は、全体として、測色装置として機能している。
【００８５】
次に、本実施例の作用を説明する。本実施例のインクジェット記録装置１は、記録ヘッドを搭載するキャリッジの移動中においても、非印字時には、記録ヘッドをキャップで確実に被覆する。
【００８６】
すなわち、インクジェット記録装置１は、ＣＰＵ１２１の制御下で、主走査ドライバ１２４及び副走査ドライバ１２８の駆動を制御して、記録媒体Ｐを所定ライン分ずつ間欠的に搬送する。そして、インクジェット記録装置１は、記録媒体Ｐが停止している状態のときに、記録ヘッドドライバ１２５の駆動を制御して、キャリッジ６、すなわち、記録ヘッド２０を主走査方向に移動させながら、ノズル列２１ａ〜２１ｈからインクを記録媒体Ｐへ噴射して画像を形成する。
【００８７】
そして、インクジェット記録装置１は、記録ヘッド２０ａ〜２０ｄからのインクの吐出量が、機器固有の特性や経時変化等によって変化することがある。インクジェット記録装置１は、このインクの吐出量が変化すると、ユーザが意図する画像の色とは異なった色で画像形成されることとなって、色再現性が劣化する。
【００８８】
そこで、インクジェット記録装置１は、所定の色調整処理タイミングで、測色値を求めて該測色値に基づいて色調整を行なう色調整処理を実行する。
【００８９】
すなわち、インクジェット記録装置１は、色調整処理タイミングになると、複数の色パッチ（測色調整色パッチ）ＣＰを、記録ヘッド２０によって記録媒体Ｐに形成して測色調整シートＣＳとして記録出力する。この測色調整シートＣＳは、複数の測色調整用の色パッチである測色調整色パッチＣＰが、記録ヘッド２０によって形成出力されたものである。測色調整シートＣＳは、インクジェット記録装置１の色調整処理タイミングにおける出力特性、特に、記録ヘッド２０の出力特性を反映した測色調整色パッチＣＰが形成されている。なお、測色調整色パッチＣＰの色パッチデータは、予め不揮発性メモリ１４５等に格納されている。
【００９０】
インクジェット記録装置１は、この測色調整シートＣＳの複数の測色調整色パッチＣＰを撮像したＲＧＢ値を測色対象ＲＧＢ値（測色用ＲＧＢ値）として、この測色対象ＲＧＢ値を初期基準ＲＧＢ値ＲｄＧｄＢｄに変換する。インクジェット記録装置１は、不揮発性メモリ１４５のメモリテーブルＴｂ１に登録されている基準測色値のうち、該初期基準ＲＧＢ値ＲｄＧｄＢｄを変換した測色値に対して距離的に近い基準測色値（近傍基準測色値）を選択する。インクジェット記録装置１は、測色対象ＲＧＢ値を、選択した近傍基準測色値に変換する測色値を求め、該測色値に基づいて色変換を行った後の画像データに基づいて、記録ヘッド２０によって画像を出力する。インクジェット記録装置１は、このようにすることで、形成画像の色再現性を向上させる。
【００９１】
そして、インクジェット記録装置１は、上記画像記録時や色調整処理での画像記録時には、記録ヘッド２０の各記録ヘッド２０ａ〜２０ｄからキャップユニット３０またはキャップユニット４０ａ〜４０ｄを取り外した状態で、画像の記録を行う。
【００９２】
なお、以下の説明では、キャップユニット４０ａ〜４０ｄを例にあげて説明するが、キャップユニット３０でも同様に処理することができる。
【００９３】
インクジェット記録装置１は、上記画像形成を行わないときには、測色処理等のためにキャリッジ６を移動させる場合であっても、各記録ヘッド２０ａ〜２０ｄに、キャップユニット４０ａ〜４０ｄを装着させる。
【００９４】
すなわち、インクジェット記録装置１は、画像形成を行わない動作モードへ移行する場合、ＣＰＵ１２１は、主走査ドライバ１２４を駆動させてキャリッジ６を維持ユニット１２へ移動させ、維持ユニット１２に設けられている中継キャップ５０によってキャップユニット４０ａ〜４０ｄを、各記録ヘッド２０ａ〜２０ｄに被せる。ＣＰＵ１２１は、主走査ドライバ１２４を駆動させてキャリッジ６を維持ユニット１２へ移動させると、位置決めピンＰｉによって位置決めして、キャリッジ６を中継キャップ５０と位置合わせして停止させる。
【００９５】
ＣＰＵ１２１は、位置合わせが完了すると、キャリッジ６の記録ヘッド２０ａ〜２０ｄを中継キャップ５０に位置合わせすると、図８に示したキャリッジ昇降モータ６３を駆動させて、キャリッジ昇降カム６２を回転させ、キャリッジ５０を下方に移動させる。なお、このとき、維持ユニット１２に弾性部材５４の付勢力を規制する規制部材（図示略）が設けられているときには、該規制部材の規制力を解除させる。
【００９６】
キャリッジ６がキャリッジ昇降モータ６３によって下方に移動され、また、規制部材の規制力が解除されると、維持ユニット１２に設けられている中継キャップ５０をキャリッジ６方向に付勢する弾性部材５４が、中継キャップ５０に収納されているキャップユニット４０ａ〜４０ｄを、図１４にキャップユニット４０ａ〜４０ｄの場合について示すように、その付勢力で記録ヘッド２０ａ〜２０ｄに押し付ける。
【００９７】
一方、ＣＰＵ１２１は、図示しない電磁石通電制御回路によって、各記録ヘッド２０ａ〜２０ｄの近傍に配設されている電磁石２３に通電させる。
【００９８】
そして、各キャップユニット４０ａ〜４０ｄには、上記位置決めされた状態で、電磁石２３と対向する位置に、鉄板４１が配設されている。また、キャップユニット４０ａ〜４０には、キャップ４３ａ〜４３ｄを取り囲むように、記録ヘッド２０ａ〜２０ｄ側の面に弾性体４２ａ〜４２ｄが配設されている。
【００９９】
したがって、キャップユニット４０ａ〜４０ｄは、弾性部材５４によって記録ヘッド２０ａ〜２０ｄへ押し付けられると、弾性体４２ａ〜４２ｄが縮む。キャップユニット４０ａ〜４０ｄは、弾性体４２ａ〜４３ｄが縮むことで、キャップ４３ａ〜４３ｄの容積が押し縮められて、キャップ４３ａ〜４３ｄ内の空気が、通気孔４４ａ〜４４ｄを通って開閉弁４５ａ〜４５ｄを押し開き、外部に排出される。
【０１００】
キャップユニット４０ａ〜４０ｄは、キャップ４３ａ〜４３ｄ内の空気が外部に排出されると、キャップユニット４０ａ〜４０ｄ外の空気圧よりもキャップ４３ａ〜４３ｄ内の空気圧の方が低い空気圧（負圧）になる。
【０１０１】
キャップユニット４０ａ〜４０ｄは、キャップ４３ａ〜４３ｄ内が負圧になると、開閉弁４５ａ〜４５ｄが閉じて、キャップユニット４０ａ〜４０ｄ全体が外気圧によって、記録ヘッド２０ａ〜２０ｄに押しつけられた状態（密着状態）となる。
【０１０２】
さらに、キャップユニット４０ａ〜４０ｄは、電磁石２３に通電されているため、鉄板４１が電磁石２３に引き付けられ、安定して記録ヘッド２０ａ〜２０ｄに密着した状態で装着される。
【０１０３】
なお、このとき、キャップユニット４０ａ〜４０ｄは、記録ヘッド２０ａ〜２０ｄ側の面に、弾性体４２ａ〜４２ｄが配設されているため、記録ヘッド２０ａ〜２０ｄに密着したときに、キャップユニット４０ａ〜４０ｄがノズル列２１ａ〜２１ｈを傷つけることを防止することができる。
【０１０４】
すなわち、キャップユニット４０ａ〜４０ｄは、周囲の外気圧力及び電磁石２３と鉄板４１との磁気力の２つの力で、記録ヘッド２０ａ〜２０ｄに密着されている。
【０１０５】
したがって、この状態で、図１５に示すように、測色処理等の画像記録動作以外の他の動作のために、キャリッジ６を移動させても、キャップユニット４０ａ〜４０ｄが記録ヘッド２０ａ〜２０ｄに確実に密着した状態で移動させることができる。その結果、記録ヘッド２０ａ〜２０ｄのノズル列２１ａ〜２１ｈが乾燥することを防止することができ、形成画像の画像品質を向上させることができる。
【０１０６】
そして、インクジェット記録装置１は、非画像形成状態から画像形成可能な状態へ移行するには、ＣＰＵ１２１が、キャリッジ６を維持ユニット１２へ移動させ、中継キャップ５０とキャップユニット４０ａ〜４０ｄを位置合わせする。
【０１０７】
ＣＰＵ１２１は、中継キャップ５０とキャップユニット４０ａ〜４０ｄを位置合わせが完了すると、キャリッジ昇降モータ６３を駆動させてキャリッジ６を上昇させる。また、維持ユニット１２に弾性部材５４の付勢力を規制する規制部材が設けられているときには、該規制部材の規制力を働かせて、弾性部材５４の付勢力を規制する。このとき、キャップユニット４０ａ〜４０ｄは、図７に示したように、中継キャップ５０内に位置する。
【０１０８】
この状態で、ＣＰＵ１２１は、電磁石２３への通電を停止するとともに、図７に示した吸引ポンプ５３を駆動させて、中継キャップ５０の通気孔５１に繋がっている通気チューブ５２を通して、開閉弁４５ａ〜４５ｄを開く。また、このとき、インクジェット記録装置１は、係止部材等によって、開いた開閉弁４５ａ〜４５ｄを開いた状態を維持させる。そして、キャップユニット４０ａ〜４０ｄは、電磁石２３への通電が停止されて、電磁力による記録ヘッド２０ａ〜２０ｄへの吸着力が解除される。また、キャップユニット４０ａ〜４０ｄは、開閉弁４５ａ〜４５ｄが開かれて、通気チューブ５２を通して外気が導入されることで、外気圧による記録ヘッド２０ａ〜２０ｄへの押しつけ力が解除される。したがって、キャップユニット４０ａ〜４０ｄは、記録ヘッド２０ａ〜２０ｄから離脱して、中継キャップ５０内に収納される。
【０１０９】
上述のように、個々の記録ヘッド２０ａ〜２０ｄにキャップユニット４０ａ〜４０ｄを装着するようにすると、キャップユニット４０ａ〜４０ｄを小型化することができる。
【０１１０】
なお、上記説明では、各記録ヘッド２０ａ〜２０ｄにキャップユニット４０ａ〜４０ｄを個別に装着する場合について説明したが、図３及び図４に示したように、全ての記録ヘッド２０ａ〜２０ｄにそれぞれ装着されるキャップ３３ａ〜３３ｄを備えた１つのキャップユニット３０についても、同様に適用することができる。
【０１１１】
この場合は、１つのキャップユニット３０で全ての記録ヘッド２０ａ〜２０ｄに対して、キャップ３３ａ〜３３ｄを着脱することができる。
【０１１２】
また、上記説明では、開閉弁４５ａ〜４５ｄを、吸引ポンプ５３の吸引力で開いているが、開閉弁４５ａ〜４５ｄを開く方法としては、吸引ポンプ５３を用いる方法に限るものではない。例えば、開閉弁４５ａ〜４５ｄに引っかけ部を設け、引っかけ部材を該引っかけ部に引っかけて機械的に開閉弁４５ａ〜４５ｄを開いてもよいし、開閉弁４５ａ〜４５ｄとして電磁弁を用いて、電磁的に開閉してもよい。
【０１１３】
このように、本実施例のインクジェット記録装置１は、インクを記録媒体（被記録媒体）Ｐに吐出するノズル列（ノズル）２１ａ〜２１ｈを有する記録ヘッド２０ａ〜２０ｄと、記録ヘッド２０ａ〜２０ｄを搭載して主走査方向に移動可能なキャリッジ６と、前記キャリッジ６を主走査方向に往復移動させる移動部（移動手段）１７と、前記ノズル列２１ａ〜２１ｈとの間に空間Ｐｃを空けて該ノズル列２１ａ〜２１ｈを覆う状態で記録ヘッド２０ａ〜２０ｄに着脱可能に装着されるキャップユニット（キャップ部材）３０またはキャップユニット（キャップ部材）４０ａ〜４０ｄと、キャップユニット３０またはキャップユニット４０ａ〜４０ｄの記録ヘッド２０ａ〜２０ｄへの装着及び該キャップユニット３０または該キャップユニット４０ａ〜４０ｄの該記録ヘッド２０ａ〜２０ｄからの取り外しを行うキャップ着脱部（キャップ着脱手段）６４と、キャップユニット３０またはキャップユニット４０ａ〜４０ｄの記録ヘッド２０ａ〜２０ｄへの装着時に、前記空間Ｐｃの気圧を該キャップユニット３０またはキャップユニット４０ａ〜４０ｄの外気圧よりも低い負圧にして該キャップユニット３０またはキャップユニット４０ａ〜４０ｄを該記録ヘッド２０ａ〜２０ｄへ装着させ、該キャップユニット３０またはキャップユニット４０ａ〜４０ｄの該記録ヘッド２０ａ〜２０ｄからの取り外し時に、該空間Ｐｃの負圧を解除する気圧調整部（気圧調整手段）３６、４６と、を備えている。
【０１１４】
したがって、キャップユニット３０またはキャップユニット４０ａ〜４０ｄを、キャップユニット３０またはキャップユニット４０ａ〜４０ｄ内の負圧で記録ヘッド２０ａ〜２０ｄに密着させることができる。その結果、記録ヘッド２０ａ〜２０ｄを搭載するキャリッジ６の移動中においても、非印字時には、記録ヘッド２０ａ〜２０ｄをキャップユニット３０またはキャップユニット４０ａ〜４０ｄで確実に被覆することができる。したがって、記録ヘッド２０ａ〜２０ｄのノズル列２１ａ〜２１ｈが乾燥することを防止することができ、形成画像の画像品質を向上させることができる。
【０１１５】
また、本実施例のインクジェット記録装置１は、インクを記録媒体Ｐに吐出するノズル列２１ａ〜２１ｈを有する記録ヘッド２０ａ〜２０ｄを搭載するキャリッジ６を主走査方向に往復移動させる移動処理ステップと、ノズル列２１ａ〜２１ｈとの間に空間Ｐｃを空けて該ノズル列２１ａ〜２１ｈを覆うキャップユニット３０またはキャップユニット４０ａ〜４０ｄを、記録ヘッド２０ａ〜２０ｄに着脱するキャップ着脱処理ステップと、キャップユニット３０またはキャップユニット４０ａ〜４０ｄの記録ヘッド２０ａ〜２０ｄへの装着時に、前記空間Ｐｃの気圧を該キャップユニット３０またはキャップユニット４０ａ〜４０ｄの外気圧よりも低い負圧にして該キャップユニット３０またはキャップユニット４０ａ〜４０ｄを該記録ヘッド２０ａ〜２０ｄへ装着させ、該キャップユニット３０またはキャップユニット４０ａ〜４０ｄの該記録ヘッド２０ａ〜２０ｄからの取り外し時に、該空間Ｐｃの負圧を解除する気圧調整処理ステップと、を有する記録ヘッド保護方法を実行している。
【０１１６】
したがって、キャップユニット３０またはキャップユニット４０ａ〜４０ｄを、キャップユニット３０またはキャップユニット４０ａ〜４０ｄ内の負圧で記録ヘッド２０ａ〜２０ｄに密着させることができる。その結果、記録ヘッド２０ａ〜２０ｄを搭載するキャリッジ６の移動中においても、非印字時には、記録ヘッド２０ａ〜２０ｄをキャップユニット３０またはキャップユニット４０ａ〜４０ｄで確実に被覆することができる。したがって、記録ヘッド２０ａ〜２０ｄのノズル列２１ａ〜２１ｈが乾燥することを防止することができ、形成画像の画像品質を向上させることができる。
【０１１７】
さらに、本実施例のインクジェット記録装置１は、前記キャップ着脱部６４が、キャップユニット３０またはキャップユニット４０ａ〜４０ｄの記録ヘッド２０ａ〜２０ｄへの装着時に、該キャップユニット３０またはキャップユニット４０ａ〜４０ｄを記録ヘッド２０ａ〜２０ｄへ押し付け、該キャップユニット３０またはキャップユニット４０ａ〜４０ｄの該記録ヘッド２０ａ〜２０ｄからの取り外し時に、該キャップユニット３０またはキャップユニット４０ａ〜４０ｄを該記録ヘッド２０ａ〜２０ｄから引き離すキャリッジ昇降かむ６２及びキャリッジ昇降モータ６３を備えている。
【０１１８】
したがって、キャップユニット３０またはキャップユニット４０ａ〜４０ｄの記録ヘッド２０ａ〜２０ｄへの装着及び記録ヘッド２０ａ〜２０ｄからの取り外しを、適切かつ確実に行うことができる。
【０１１９】
また、本実施例のインクジェット記録装置１は、キャップユニット３０またはキャップユニット４０ａ〜４０ｄが、記録ヘッド２０ａ〜２０ｄと対向する面に、該記録ヘッド２０ａ〜２０ｄに方向に所定高さを有し該記録ヘッド２０ａ〜２０ｄを取り囲む状態の環状の弾性体３２または弾性体４２ａ〜４２ｄを備えている。
【０１２０】
したがって、弾性体３２または弾性体４２ａ〜４２ｄによって、キャップユニット３０またはキャップユニット４０ａ〜４０ｄと記録ヘッド２０ａ〜２０ｄとを密着させることができる。その結果、キャップユニット３０またはキャップユニット４０ａ〜４０ｄの空間Ｐｃの負圧を長期間保持することができ、記録ヘッド２０ａ〜２０ｄを搭載するキャリッジ６の移動中においても、非印字時には、記録ヘッド２０ａ〜２０ｄをキャップユニット３０またはキャップユニット４０ａ〜４０ｄで確実に被覆することができる。
【０１２１】
さらに、本実施例のインクジェット記録装置１は、気圧調整部３６または気圧調整部４６が、キャップユニット３０またはキャップユニット４０ａ〜４０ｄに形成され該キャップユニット３０またはキャップユニット４０ａ〜４０ｄ内と該キャップユニット３０またはキャップユニット４０ａ〜４０ｄ外を連通する通気孔３４または通気孔４４ａ〜４４ｄと、通気孔３４または通気孔４４ａ〜４４ｄのキャップユニット３０またはキャップユニット４０ａ〜４０ｄ外への開口部に設けられ、該キャップユニット３０またはキャップユニット４０ａ〜４０ｄ外の方向へ開く開状態と該開口部を閉じる閉状態とに開閉動作する開閉弁３５または開閉弁４５ａ〜４５ｄと、を備え、キャップユニット３０またはキャップユニット４０ａ〜４０ｄの記録ヘッド２０ａ〜２０ｄへの装着時に、位置調整手段としてのキャップ着脱部（キャップ着脱手段）６４によって該キャップユニット３０またはキャップユニット４０ａ〜４０ｄが該記録ヘッド２０ａ〜２０ｄへ押し付けられることで、該キャップユニット３０またはキャップユニット４０ａ〜４０ｄの空間Ｐｃの空気が通気孔３４または通気孔４４ａ〜４４ｄ及び開閉弁３５または開閉弁４５ａ〜４５ｄを通して該キャップユニット３０またはキャップユニット４０ａ〜４０ｄ外へ排出されて、該開閉弁３５または開閉弁４５ａ〜４５ｄが閉じられることで、該空間Ｐｃが負圧になる。
【０１２２】
したがって、簡単な構成で、キャップユニット３０またはキャップユニット４０ａ〜４０ｄ内の空間を負圧にすることができ、記録ヘッド２０ａ〜２０ｄをキャップユニット３０またはキャップユニット４０ａ〜４０ｄで確実に被覆することができる。
【０１２３】
また、本実施例のインクジェット記録装置１は、気圧調整部３６または気圧調整部４６が、キャップユニット３０またはキャップユニット４０ａ〜４０ｄの記録ヘッド２０ａ〜２０ｄからの取り外し時に、前記空間Ｐｃへ外気を導入する外気導入手段として吸引ポンプ５３及び通気チューブ５２を備えている。
【０１２４】
したがって、適切にキャップユニット３０またはキャップユニット４０ａ〜４０ｄを、維持ユニット１２の中継キャップ５０へ戻すことができる。
【０１２５】
さらに、本実施例のインクジェット記録装置１は、記録ヘッド２０ａ〜２０ｄが、キャップユニット３０またはキャップユニット４０ａ〜４０ｄが装着されている状態で、該キャップユニット３０またはキャップユニット４０ａ〜４０ｄと対向する所定位置に電磁石２２または電磁石２３を備え、キャップユニット３０またはキャップユニット４０ａ〜４０ｄが、少なくとも電磁石２２または電磁石２３と対向する位置に該電磁石２２または電磁石２３の発生する磁気によって該電磁石２２または電磁石２３に引き寄せられる被引き寄せ部材としての鉄板３１または鉄板４１を備え、前記キャップ着脱部６４のＣＰＵ１２１が、キャップユニット３０またはキャップユニット４０ａ〜４０ｄの記録ヘッド２０ａ〜２０ｄへの装着時及び装着中に電磁石２２または電磁石２３への通電を行う。
【０１２６】
したがって、キャップユニット３０またはキャップユニット４０ａ〜４０ｄを、電磁石２２または電磁石２３と鉄板３１または鉄板４１との磁気力で記録ヘッド２０ａ〜２０ｄにより一層確実に密着させることができる。その結果、記録ヘッド２０ａ〜２０ｄを搭載するキャリッジ６の移動中においても、非印字時には、記録ヘッド２０ａ〜２０ｄをキャップユニット３０またはキャップユニット４０ａ〜４０ｄでより一層確実に被覆することができる。したがって、記録ヘッド２０ａ〜２０ｄのノズル列２１ａ〜２１ｈが乾燥することをより一層確実に防止することができ、形成画像の画像品質をより一層向上させることができる。
【０１２７】
また、本実施例のインクジェット記録装置１は、キャリッジ６が、被写体を含む所定の撮像領域を撮像する撮像ユニット（センサ手段）１００を搭載し、キャップユニット３０またはキャップユニット４０ａ〜４０ｄを記録ヘッド２０ａ〜２０ｄに装着した状態で、キャリッジ６を移動させて撮像ユニット１００に被写体を撮像させて、該撮像結果に基づいて測色処理を行う測色制御部（測色手段）１２６を、備えている。
【０１２８】
したがって、キャリッジ６を移動させて撮像ユニット１００によって撮像した撮像結果に基づいて測色処理を行う場合にも、記録ヘッド２０ａ〜２０ｄをキャップユニット３０またはキャップユニット４０ａ〜４０ｄで確実に被覆することができる。その結果、測色処理を適切に行うことができるとともに、記録ヘッド２０ａ〜２０ｄのノズル列２１ａ〜２１ｈが乾燥することをより一層確実に防止することができ、形成画像の画像品質をより一層向上させることができる。
【０１２９】
さらに、本実施例のインクジェット記録装置１は、撮像ユニット１００が、外部の被写体とともに撮像される基準チャートＫＣを前記撮像領域内に有している。
【０１３０】
したがって、キャリッジ６を移動させて撮像ユニット１００によって撮像した被写体と基準チャートＫＣとの撮像結果に基づいて測色処理を行う場合にも、記録ヘッド２０ａ〜２０ｄをキャップユニット３０またはキャップユニット４０ａ〜４０ｄで確実に被覆することができる。その結果、測色処理をより一層適切に行うことができるとともに、記録ヘッド２０ａ〜２０ｄのノズル列２１ａ〜２１ｈが乾燥することをより一層確実に防止することができ、形成画像の画像品質をより一層向上させることができる。
【０１３１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１３２】
１  インクジェット記録装置
２  本体筐体
３  本体フレーム
４  主ガイドロッド
５  副ガイドロッド
６  キャリッジ
６ａ  連結片
７  タイミングベルト
８  駆動プーリ
９  従動プーリ
１０  主走査モータ
１１  カートリッジ部
１２  維持ユニット
１３  カバー
１４  プラテン
１５  エンコーダシート
１６  エンコーダセンサ
１７  移動部
２０  記録ヘッド
２０ａ〜２０ｄ  記録ヘッド
２１ａ〜２１ｈ  ノズル列
２２、２３  電磁石
３０  キャップユニット
３１  鉄板
３２  弾性体
３３ａ〜３３ｄ  キャップ
３４  通気孔
３５  開閉弁
３６  気圧調整部
４０ａ〜４０ｄ  キャップユニット
４１  鉄板
４２ａ〜４２ｄ  弾性体
４３ａ〜４３ｄ  キャップ
４４ａ〜４４ｄ  通気孔
４５ａ〜４５ｄ  開閉弁
４６  気圧調整部
５０  中継キャップ
５１  通気孔
５２  通気チューブ
５３  吸引ポンプ
５４  弾性部材
６１  摺動部材
６２  キャリッジ昇降カム
６３  キャリッジ昇降モータ
６４  キャップ着脱部
１００  撮像ユニット
１０１  基板
１０２  筐体
１０２ａ  底面部
１０２ｂ、１０２ｃ  開口部
１０２ｄ  凹部
１０３  締結部材
１０４  イメージセンサ部
１０５  ２次元イメージセンサ
１０６  レンズ
１０７  照明光源
１０８  基準チャート板
１１０  光路長変更部材
１２１  ＣＰＵ
１２２  ＲＯＭ
１２３  ＲＡＭ
１２４  主走査ドライバ
１２５  記録ヘッドドライバ
１２６  測色制御部
１２７  紙搬送部
１２８  副走査ドライバ
１３０  画像処理部
１３１  インターフェイス部
１３２  Ａ／Ｄ変換部
１３３  シェーディング補正部
１３４  ホワイトバランス補正部
１３５  γ補正部
１３６  画像フォーマット変換部
１４１  フレームメモリ
１４２  タイミング信号発生部
１４３  光源駆動制御部
１４４  演算部
１４５  不揮発性メモリ
１４６  測色値算出部
Ｐｃ  空間
Ｐ  記録媒体
ＣＳ  測色調整シート
ＣＰ  測色調整色パッチ
ＫＳ  基準シート
ＫＰ  基準色パッチ
【先行技術文献】
【特許文献】
【０１３３】
【特許文献１】特開平０８−１１８６７０号公報
【図１】
2014172247.tif 000003
【図２】
2014172247.tif 000004
【図３】
2014172247.tif 000005
【図４】
2014172247.tif 000006
【図５】
2014172247.tif 000007
【図６】
2014172247.tif 000008
【図７】
2014172247.tif 000009
【図８】
2014172247.tif 000010
【図１０】
2014172247.tif 000011
【図１１】
2014172247.tif 000012
【図１２】
2014172247.tif 000013
【図１４】
2014172247.tif 000014
【図１５】
2014172247.tif 000015
【図９】
2014172247.tif 000016
【図１３】
2014172247.tif 000017